(57)【特許請求の範囲】
【請求項１】
寝台装置の天板に載置された被検体をスキャンするスキャン機構を搭載する架台本体と、
前記架台本体の前面に開閉可能に設けられたカバーと、
前記カバーの前面に設けられ、少なくとも前記天板の移動に関する操作スイッチを含む第１の操作パネルと、
前記カバーの背面に設けられ、少なくとも前記天板の移動に関する操作スイッチを含む第２の操作パネルと、
を具備する架台。
【請求項２】
前記第１の操作パネルと前記第２の操作パネルとは共通の回路基板に実装され、
前記第１の操作パネルは前記回路基板の表面に実装され、
前記第２の操作パネルは前記回路基板の背面に実装される、
請求項１記載の架台。
【請求項３】
前記回路基板は、前記第１の操作パネルが前記カバーの前記前面から露出し、前記第２の操作パネルが前記カバーの前記背面から露出するように前記カバーに設けられる、請求項２記載の架台。
【請求項４】
前記第２の操作パネルは、複数の操作スイッチと前記複数の操作スイッチに接続された回路基板とを有し、
前記回路基板は、前記操作スイッチの操作に起因して前記操作スイッチに対応する制御を実行する、
請求項１記載の架台。
【請求項５】
前記第２の操作パネルは、さらに、前記回路基板に接続された制御スイッチを有し、
前記回路基板は、前記制御スイッチの操作下において前記操作スイッチが操作された場合に限定して前記操作された操作スイッチに対応する制御を実行する、
請求項４記載の架台。
【請求項６】
前記制御スイッチは、前記複数の操作スイッチの略中央に配置される、請求項５記載の架台。
【請求項７】
前記回路基板は、前記第２の操作パネルに含まれる切替スイッチの操作に起因して前記第１の操作パネルと前記第２の操作パネルとの有効と無効とを切り替える、請求項２記載の架台。
【請求項８】
前記カバーの開閉を検知する検知部を有し、
前記回路基板は、前記カバーが閉められた場合に前記第１の操作パネルを有効に切り替える、
請求項２記載の架台。
【請求項９】
前記架台本体を照らす照明機器を有し、
前記第２の操作パネルは、前記照明機器のＯＮとＯＦＦとを切り替えるスイッチを有する、
請求項１記載の架台。
【請求項１０】
前記第１の操作パネルと前記第２の操作パネルとは、更に前記架台本体のチルトに関する操作スイッチと前記架台本体に設けられた投光器に関するスイッチとの少なくとも一方を含む、請求項１記載の架台。
【請求項１１】
被検体が載置された天板を移動可能に支持する寝台装置と、
前記寝台装置の前記天板に載置された前記被検体をスキャンするスキャン機構を搭載する架台本体と、
前記架台本体の前面に開閉可能に設けられたカバーと、
前記カバーの前面に設けられ、少なくとも前記天板の移動に関する操作スイッチを含む第１の操作パネルと、
前記カバーの背面に設けられ、少なくとも前記天板の移動に関する操作スイッチを含む第２の操作パネルと、
を具備する医用画像診断装置。
【発明の詳細な説明】
【技術分野】
【０００１】
本発明の実施形態は、架台及び医用画像診断装置に関する。
【背景技術】
【０００２】
病院に設定されたＸ線コンピュータ断層撮影装置の架台についてメンテナンスが行われる場合がある。メンテナンスにおいては架台の前面に開閉可能に設けられたカバー（以下、フロントカバーと呼ぶ）が開放され、作業員等により架台本体の部品がメンテナンスされる。メンテナンスにおいて架台や寝台を動作させる場合がある。フロントカバーの前面には架台や寝台を動作させるための操作パネルが設けられているが、メンテナンス時において作業員は、脚立に上り、跳ね上げられたフロントカバーの前面に設けられた操作パネルを操作している。この場合、高所での作業になるため安全面でリスクがある。フロントカバーから操作パネルが吊下げ可能に設けられている場合、作業員は、架台の前面に立ったままメンテナンスすることができる。しかしながら、操作パネルを吊下げるため、フロントカバーに蝶番等の特殊な部品を用意する必要がある。これら両方法によるメンテナンスは準備に時間を要し、ひいてはメンテナンス全体に要する時間を長期化させている。
【先行技術文献】
【特許文献】
【０００３】
【特許文献１】特開平６−２３３７５９号公報
【発明の概要】
【発明が解決しようとする課題】
【０００４】
実施形態の目的は、メンテナンスの効率を向上可能な架台及び医用画像診断装置を提供することにある。
【課題を解決するための手段】
【０００５】
本実施形態に係る架台は、寝台装置の天板に載置された被検体をスキャンするスキャン機構を搭載する架台本体と、前記架台本体の前面に開閉可能に設けられたカバーと、前記カバーの前面に設けられ、少なくとも前記天板の移動に関する操作スイッチを含む第１の操作パネルと、前記カバーの背面に設けられ、少なくとも前記天板の移動に関する操作スイッチを含む第２の操作パネルと、を具備する。
【図面の簡単な説明】
【０００６】
【図１】本実施形態に係わるＸ線コンピュータ断層撮影装置の構成を示す図
【図２】図１の架台１の外観を模式的に示す図
【図３】図２の架台本体１１の内部の概略的な斜視図
【図４】図２のフロントカバーが閉じられている架台本体の模式的な側面図
【図５】図４のフロントカバーが開放されている架台本体の模式的な側面図
【図６】図４又は図５の操作制御基板による操作制御系統のブロック図
【図７】図４又は図５の背面用操作パネルの一例を示す図
【図８】図４のフロントカバーが開放された架台本体と操作パネルを操作する作業者とを模式的に示す図
【発明を実施するための形態】
【０００７】
以下、図面を参照しながら本実施形態に係る架台及び医用画像診断装置を説明する。
【０００８】
本実施形態に係る医用画像診断装置は、Ｘ線コンピュータ断層撮影装置、Ｘ線診断装置、磁気共鳴イメージング装置、核医学診断装置等の、被検体に関するスキャンデータを収集する架台を有する如何なるモダリティにも適用可能である。以下の説明を具体的に行うため本実施形態に係る医用画像診断装置は、Ｘ線コンピュータ断層撮影装置であるものとする。
【０００９】
図１は、本実施形態に係わるＸ線コンピュータ断層撮影装置の構成を模式的に示す図である。図１に示すように、本実施形態に係るＸ線コンピュータ断層撮影装置は、架台１、画像再構成装置３、コンソール５、表示機器７、及び入力機器９を有する。架台１は、被検体をＸ線でＣＴスキャンするためのスキャン機構を装備する。架台１は、Ｘ線管とＸ線検出器とが設けられた回転フレームを回転軸回りに回転させながら、Ｘ線管から被検体にＸ線を照射する。Ｘ線管から発生され被検体を透過したＸ線はＸ線検出器により検出され、検出されたＸ線の強度を示す生データに変換される。生データは画像再構成装置３に伝送される。画像再構成装置３は、独自のＣＰＵ（central processing unit）を装備するコンピュータ装置である。画像再構成装置３は、生データに基づいて、被検体によるＸ線減弱の空間分布を表現するＣＴ画像を再構成する。ＣＴ画像のデータは、コンソール５に伝送される。コンソール５は、独自のＣＰＵを装備するコンピュータ装置である。コンソール５は、Ｘ線コンピュータ断層撮影装置の中枢として機能する。コンソール５は、ＣＴスキャンをするために架台１を制御する。また、コンソール５は、ＣＴ画像のデータを画像処理する。コンソール５には表示機器７と入力機器９とが接続されている。表示機器７は、ＣＲＴディスプレイや液晶ディスプレイ、有機ＥＬディスプレイ、プラズマディスプレイ等の既知の表示機器である。コンソール５は、ＣＴ画像や各種設定画面等を表示機器７に表示する。入力機器９は、キーボード、マウス、各種スイッチ等の既知の入力機器である。コンソール５は、入力機器９の操作に応じた処理を実行する。
【００１０】
図２は、本実施形態に係る架台１の外観を模式的に示す図である。図２に示すように、架台１は寝台１００とともに検査室に設置されている。架台１は、架台本体１１を有している。架台本体１１の筐体の内部にはＸ線管やＸ線検出器等のスキャン機構が収容されている。架台本体１１の筐体は、開口１ａを有し、例えば、上部の左右両隅部が丸みを帯びた略半円形状を有している。架台本体１１の前面には開閉可能にカバー（以下、フロントカバー）１３が取り付けられている。フロントカバー１３には後述する操作機器１５が取り付けられている。
【００１１】
架台１の前面には、寝台１００が設置されている。寝台１００は、天板１０１と天板支持機構１０２とを有する。天板１０１には被検体が載置される。天板支持機構１０２は、天板１０２を鉛直方向Ｄ１及び前後方向Ｄ２に移動可能に支持している。鉛直方向Ｄ１は、天板１０１を床面から離反する＋Ｙ方向又は床面に接近する−Ｙ方向に規定される。前後方向Ｄ２は、天板１０１を開口１ａに接近する＋Ｚ方向又は開口１ａから離反する方向−Ｚ方向に規定される。
【００１２】
図３は、架台本体１１の内部の概略的な斜視図である。図３に示すように、架台本体１１は、架台回転部２１と架台固定部２３とを有している。図３に示すように、架台回転部２１は、中央に開口が形成された略円筒形の回転フレームである。架台固定部２３は、中央に開口が形成されたメインフレーム２３−１と床面に設置された基台２３−２とを有する。メインフレーム２３−１は、回転軸Ｒ１周りに回転フレーム２１を回転可能に支持している。回転フレーム２１は、図示しない駆動装置からの駆動信号の供給を受けて回転軸Ｒ１周りに回転する。また、基台２３−２は、回転軸Ｒ１に直交し床面に平行する水平軸Ｒ２回りに傾斜（チルト）可能にメインフレーム２３−１を支持している。メインフレーム２３−１のチルトにより、回転軸Ｒ１及び水平軸Ｒ２に直交する垂直軸Ｒ３が床面に対して傾斜する。基台２３−２は、図示しない駆動装置（後述のチルト駆動部４３）からの駆動信号の供給を受けてメインフレーム２３−１とともに回転フレーム２１をチルトする。
【００１３】
例えば、回転フレーム２１にはＸ線管２７やＸ線検出器２９、高電圧発生装置３１、Ｘ線コリメータ３３、冷却装置３５、及び投光器３７等の各種機器が取り付けられる。Ｘ線管２７やＸ線検出器２９、高電圧発生装置３１、Ｘ線コリメータ３３、冷却装置３５、及び投光器３７等の各種機器は、架台固定部２３からの電力の供給を受けて作動する。Ｘ線管２７とＸ線検出器２９とは開口１ａを挟んで対向するように回転フレーム１１に取り付けられる。高電圧発生装置３１は、Ｘ線管２７に高電圧を印可し、フィラメント電流を供給する。Ｘ線管２７は、高電圧発生装置３１からの高電圧の印可とフィラメント電流の供給とを受けてＸ線を発生する。Ｘ線検出器２９は、Ｘ線管２７から発生されたＸ線を検出し、検出されたＸ線の強度に応じた電気信号を発生し、発生された電気信号にＡ／Ｄ変換を施して電気信号から生データに変換する。生データは、図示しないデータ伝送装置を介して画像再構成装置３に伝送される。冷却装置３５はオイル等の冷媒でＸ線管２７を冷却する。架台本体１には、例えば、投光器３７が設けられている。例えば、投光器３７は、Ｘ線コリメータ３３に取り付けられている。投光器３７は、Ｘ線の照射野を照らす可視光を発生するＬＥＤ（light-emitting diode）等の発光装置である。
【００１４】
なお、架台本体１１に設けられる各種機器は、上記の例に限定されず、Ｘ線コンピュータ断層撮影装置の架台に設けられる既存の如何なる機器が架台本体１１に設けられても良い。
【００１５】
次に、本実施形態に係る架台１の操作機器１５について説明する。
【００１６】
図４は、フロントカバー１３が閉じられている架台本体１１の模式的な側面図である。図５は、フロントカバー１３が開放されている架台本体１１の模式的な側面図である。図４及び図５に示すように、フロントカバー１３は、架台本体１１の前面上部に開閉可能に取り付けられている。フロントカバー１３には操作機器１５が設けられている。操作機器１５は、医療従事者や作業者等が架台１の各種機器や寝台１００を動作させるための各種スイッチを有している。操作機器１５の嵌め込み位置はフロントカバー１３の如何なる位置に設定されても良い。操作機器１５は、医療従事者や作業者等が操作し易い位置、例えば、図１に示すように、フロントカバー１３の前面の側部に設けられる。操作機器１５は、前面用操作パネル１５１、操作制御基板１５３、及び背面用操作パネル１５５を有する。前面用操作パネル１５１は、主にフロントカバー１３が閉じられた状態において使用される操作パネルであり、架台１や寝台１００を動作させるための各種スイッチを有する。前面用操作パネル１５１は、主にＣＴ検査において医療従事者により用いられる。背面用操作パネル１５５は、主にフロントカバー１３が開けられた状態において使用される操作パネルであり、架台１や寝台１００を動作させるための各種スイッチを有する。背面用操作パネル１５５は、主にメンテナンスにおいて作業者により用いられる。操作制御基板１５３は、前面用操作パネル１５１と背面用操作パネル１５５とに含まれる各種スイッチに対応する制御を実行する回路基板である。前面用操作パネル１５１は操作制御基板１５３の前面に実装され、背面用操作パネル１５５は操作制御基板１５３の背面に実装される。すなわち、前面用操作パネル１５１と背面用操作パネル１５５とは、例えば、フロントカバー１３を挟んで対向する位置に配置される。前面用操作パネル１５１がフロントカバー１３の前面から露出し、背面用操作パネル１５５がフロントカバー１３の背面から露出するように、操作制御基板１５３がフロントカバー１３に設けられる。このように、前面用操作パネル１５１と背面用操作パネル１５５とは操作制御基板１５３を共有する。
【００１７】
図６は、操作制御基板１５３による操作制御系統のブロック図である。図６に示すように、操作制御基板１５３による操作制御系統は、操作制御基板１５３を中枢として表面操作パネル１５１、表面表示機器１５７、背面操作パネル１５５、寝台駆動部４１、チルト駆動部４３、投光器用切替部４５，及び照明機器用切替部４７を有する。
【００１８】
表面操作パネル１５１は、上記の通り、フロントカバー１３の前面に設けられ、主にＣＴ検査において用いられる操作パネルである。表面操作パネル１５１に含まれる操作スイッチとしては、ＣＴ検査に必要な既知の如何なるスイッチを実装可能である。表面表示機器１５７は、表面操作パネル１５１に設けられた表示機器である。また、表面表示機器１５７には、例えば、天板１０１の鉛直方向Ｄ１に関する位置、天板１０１の前後方向Ｄ１に関する位置、架台１（回転フレーム２１）のチルト角度等が表示される。表面表示機器１５７としては、ＣＲＴディスプレイや液晶ディスプレイ、有機ＥＬディスプレイ、プラズマディスプレイ等の既知の表示機器が用いられる。
【００１９】
背面操作パネル１５５は、上記の通り、フロントカバー１３の背面に設けられた操作パネルである。背面操作パネル１５５の詳細については後述する。寝台駆動部４１は、天板支持機構１０２に収容された駆動装置である。寝台駆動部４１は、操作制御基板１５３からの制御信号に従い天板１０１を動作させる。チルト駆動部４３は、架台本体１１に収容された駆動装置である。チルト駆動部４３は、操作制御基板１５３からの制御信号に従い回転フレーム２１をチルトさせる。投光器用切替器４５は、架台本体１１に設けられた投光器３７の点灯と消灯とを切り替える切替器である。投光器用切替器４５は、操作制御基板１５３からの制御信号に従い投光器３７の点灯と消灯とを切り替える。照明機器用切替器４７は、架台本体１１又はフロントカバー１３に設けられた照明機器（図示せず）の照明の点灯と消灯とを切り替える切替器である。照明機器は、架台本体１１を照らす光を発生するＬＥＤ等の発光装置である。跳ね上げられたフロントカバー１３により検査室等の照明が遮られ、架台本体１１が暗くなりメンテナンスしづらい場合がある。フロントカバー１３を跳ね上げた場合において架台本体１１を照らすために、照明機器が用いられる。照明機器用切替器４７は、操作制御基板１５３からの制御信号に従い架台本体１１又はフロントカバー１３に設けられた照明機器の点灯と消灯とを切り替える。
【００２０】
図７は、背面用操作パネル１５５の一例を示す図である。背面用操作パネル１５５は、メンテナンスに必要な各種スイッチ、例えば、操作スイッチＳＯ、ＭＯＶＥスイッチＳＣ、有効パネル切替スイッチＳＡ、及び方向切替スイッチＳＤを有する。
【００２１】
操作スイッチＳＯとしては、例えば、チルト＋スイッチＳＯ１、チルト−スイッチＳＯ２、天板ＵＰスイッチＳＯ３、天板ＤＯＷＮスイッチＳＯ４、天板ＩＮスイッチＳＯ５、天板ＯＵＴスイッチＳＯ６、天板高速ＩＮスイッチＳＯ７、天板高速ＯＵＴスイッチＳＯ８、投光器ＯＮスイッチＳＯ９、投光器ＯＦＦスイッチＳＯ１０、照明機器ＯＮスイッチＳＯ１１、及び照明機器ＯＦＦスイッチＳＯ１２が設けられる。
【００２２】
チルト＋スイッチＳＯ１は、軸Ｒ２回り前方向に回転フレーム２１をチルトさせるための機能が割り当てられたスイッチである。前方向は回転フレーム２１の上部が−Ｚ方向に傾く方向に規定され、後方向は回転フレーム２１の上部が＋Ｚ方向に傾く方向に規定される。チルト＋スイッチＳＯ１が押下された場合、操作制御基板１５３は、前方向へのチルトを指示する制御信号をチルト駆動部４３に供給し、チルト駆動部４３は、当該制御信号の供給を受けて回転フレーム２１を前方向にチルトする。チルト−スイッチＳＯ２は、軸Ｒ２回り後方向に回転フレーム２１をチルトさせるための機能が割り当てられたスイッチである。チルト−スイッチＳＯ２が押下された場合、操作制御基板１５３は、後方向へのチルトを指示する制御信号をチルト駆動部４３に供給し、チルト駆動部４３は、当該制御信号の供給を受けて回転フレーム２１を後方向にチルトする。
【００２３】
天板ＵＰスイッチＳＯ３は、天板１０１をＤ１方向に沿って上向き（＋Ｙ方向）に移動、すなわち、上昇させるための機能が割り当てられたスイッチである。天板ＵＰスイッチＳＯ３が押下された場合、操作制御基板１５３は、上昇を指示する制御信号を寝台駆動部４１に供給し、寝台駆動部４１は、当該制御信号の供給を受けて天板１０１を上昇する。天板ＤＯＷＮスイッチＳＯ４は、天板１０１をＤ１方向に沿って下向き（−Ｙ方向）に移動、すなわち、下降させるための機能が割り当てられたスイッチである。天板ＤＯＷＮスイッチＳＯ４が押下された場合、操作制御基板１５３は、下降を指示する制御信号を寝台駆動部４１に供給し、寝台駆動部４１は、当該制御信号の供給を受けて天板１０１を下降する。天板ＩＮスイッチＳＯ５は、天板１０１をＤ２方向に沿って開口１ａの内側に向けて＋Ｚ方向に移動、すなわち、前進するための機能が割り当てられたスイッチである。天板ＩＮスイッチＳＯ５が押下された場合、操作制御基板１５３は、前進を指示する制御信号を寝台駆動部４１に供給し、寝台駆動部４１は、当該制御信号の供給を受けて天板１０１を前進する。天板ＯＵＴスイッチＳＯ６は、天板１０１をＤ２方向に沿って開口１ａの外側に向けて移動、すなわち、後進するための機能が割り当てられたスイッチである。天板ＯＵＴスイッチＳＯ６が押下された場合、操作制御基板１５３は、後進を指示する制御信号を寝台駆動部４１に供給し、寝台駆動部４１は、当該制御信号の供給を受けて天板１０１を後進する。
【００２４】
天板高速ＩＮスイッチＳＯ７は、天板１０１を高速で前進するための機能が割り当てられたスイッチである。天板高速ＩＮスイッチＳＯ７が押下された場合、操作制御基板１５３は、高速での前進を指示する制御信号を寝台駆動部４１に供給し、寝台駆動部４１は、当該制御信号の供給を受けて天板１０１を高速で前進する。天板高速ＯＵＴスイッチＳＯ８は、天板１０１を高速で後進するための機能が割り当てられたスイッチである。天板高速ＯＵＴスイッチＳＯ８が押下された場合、操作制御基板１５３は、高速での後進を指示する制御信号を寝台駆動部４１に供給し、寝台駆動部４１は、当該制御信号の供給を受けて天板１０１を高速で後進する。
【００２５】
投光器ＯＮスイッチＳＯ９は、架台本体１１に設けられた投光器３７を点灯するための機能が割り当てられたスイッチである。投光器ＯＮスイッチＳＯ９が押下された場合、操作制御基板１５３は、投光器３７の点灯を指示する制御信号を投光器用切替器４５に供給し、投光器用切替器４５は、当該制御信号の供給を受けて投光器３７を点灯する。投光器ＯＦＦスイッチＳＯ１０は、架台本体１１に設けられた投光器３７を消灯するための機能が割り当てられたスイッチである。投光器ＯＦＦスイッチＳＯ１０が押下された場合、操作制御基板１５３は、投光器３７の消灯を指示する制御信号を投光器用切替器４５に供給し、投光器用切替器４５は、当該制御信号の供給を受けて投光器３７を消灯する。
【００２６】
照明機器ＯＮスイッチＳＯ１１は、架台本体１１又はフロントカバー１３に設けられた上述の照明機器を点灯するための機能が割り当てられたスイッチである。照明機器ＯＮスイッチＳＯ１１が押下された場合、操作制御基板１５３は、照明機器の点灯を指示する制御信号を照明機器用切替器４７に供給し、照明機器用切替器４７は、当該制御信号の供給を受けて照明機器を点灯する。照明機器ＯＦＦスイッチＳＯ１２は、上述の照明機器を消灯するための機能が割り当てられたスイッチである。照明機器ＯＦＦスイッチＳＯ１２が押下された場合、操作制御基板１５３は、照明機器の消灯を指示する制御信号を照明機器用切替器４７に供給し、照明機器用切替器４７は、当該制御信号の供給を受けて照明機器を消灯する。
【００２７】
ＭＯＶＥスイッチＳＣは、操作スイッチＳＯの誤操作防止のために設けられた制御スイッチである。ＭＯＶＥスイッチＳＣの操作時において操作スイッチＳＯが操作された場合に限定して、操作スイッチＳＯの操作が有効となる。操作制御基板１５３は、ＭＯＶＥスイッチＳＣの押下時において操作スイッチＳＯが押下された場合、押下された操作スイッチＳＯに対応する制御を実行する。操作制御基板１５３は、ＭＯＶＥスイッチＳＣの開放時において操作スイッチＳＯが押下された場合、押下された操作スイッチＳＯに対応する制御を実行しない。例えば、ＭＯＶＥスイッチＳＣを押下しながら天板ＩＮスイッチＳＯ５が押下された場合、天板１０１は前進し、ＭＯＶＥスイッチＳＣを押下せずに天板ＩＮスイッチＳＯ５が押下された場合、天板１０１は停止し続ける。このように、ＭＯＶスイッチＳＣを設けることにより、操作スイッチＳＯの誤操作を防止することが可能となる。
【００２８】
有効パネル切替スイッチＳＡは、前面用操作パネル１５１と背面用操作パネル１５５との操作の有効と無効とを互い違いに切り替えるための機能が割り当てられたスイッチである。無効時において前面用操作パネル１５１又は背面用操作パネル１５５が操作された場合、当該操作は無効である。有効時において前面用操作パネル１５１又は背面用操作パネル１５５が操作された場合に限定して当該操作は有効である。操作制御基板１５３は、有効パネル切替スイッチが押下された場合、前面用操作パネル１５１と背面用操作パネル１５５との操作の有効と無効とを互い違いに切り替える。例えば、無効状態にある操作パネル１５１，１５５が操作された場合、操作制御基板１５３は、操作された各種スイッチに対応する制御を実行しない。有効状態にある操作パネル１５１，１５５が操作された場合、操作制御基板１５３は、操作された各種スイッチに対応する制御を実行する。これにより、メンテナンス時における予期せぬ前面用操作パネル１５１の操作に起因する架台１や寝台１００の誤操作を防止することが可能となる。また、フロントカバー１３を閉じている状態における予期せぬ背面用操作パネル１５５の操作に起因する架台１や寝台１００の誤操作を防止することが可能となる。なお、前面操作パネル１５１又は背面操作パネル１５５には、有効に設定されている際に点灯するランプが設けられても良い。これにより、作業者等は、何れの操作パネルが有効に設定されているかを容易に判別することがき、メンテナンスの効率を向上させることができる。
【００２９】
方向切替スイッチＳＤは、複数の操作スイッチＳＯのうちの２つの操作スイッチＳＯに割り当てられた動作方向を入れ替えるための機能が割り当てられたスイッチである。切替対象の２つの操作スイッチＳＯの組合せは、予め設定されている。例えば、切替対象の２つの操作スイッチＳＯの組合せとしては、チルト＋スイッチＳＯ１とチルト−スイッチＳＯ２との組合せ、天板ＵＰスイッチＳＯ３と天板ＤＯＷＮスイッチＳＯ４との組合せ、天板ＩＮスイッチＳＯ５と天板ＯＵＴスイッチＳＯ６との組合せ、天板高速ＩＮスイッチＳＯ７と天板高速ＯＵＴスイッチＳＯ８との組合せ等、互いに正反対の動作方向が割り当てられた２つの操作スイッチＳＯの組合せが可能である。操作制御基板１５３は、方向切替スイッチＳＤが押下された場合、設定された組合せを構成する２つの操作スイッチＳＯにそれぞれ割り当てられた２つの動作方向を入れ替える。例えば、天板ＩＮスイッチＳＯ５と天板ＯＵＴスイッチＳＯ６とが切替対象の組合せとして設定されている場合に方向切替スイッチＳＤが押下された場合、操作制御基板１５３は、天板ＩＮスイッチＳＯ５に天板１０１を後進させる機能を割り当て、天板ＯＵＴスイッチＳＯ６に天板１０１を前進させる機能を割り当てる。
【００３０】
以上で背面操作パネル１５５の説明を終了する。
【００３１】
前面操作パネル１５１についても背面操作パネル１５５と同様に、ＣＴ検査に必要な各種スイッチが実装される。前面操作パネル１５１に含まれる操作スイッチとしては、例えば、背面操作パネル１５１と同様に、チルト＋スイッチ、チルト−スイッチ、天板ＵＰスイッチ、天板ＤＯＷＮスイッチ、天板ＩＮスイッチ、天板ＯＵＴスイッチ、天板自動挿入スイッチ、投光器ＯＮスイッチ、及び投光器ＯＦＦスイッチ等が設けられる。また、背面操作パネル１５５に含まれないスイッチが前面操作パネル１５１に設けられても良い。例えば、天板１０１を高速で移動させるための高速移動スイッチ、天板１０１を自動的に架台１の開口１ａの設定位置まで移動させる天板自動挿入スイッチ、天板１０１を自動的に開口１ａ外部の待機位置まで移動させる天板自動帰還スイッチ等が設けられても良い。
【００３２】
本実施形態に係る背面操作パネル１５５と前面操作パネル１５１とに実装される各種スイッチとしては、１接点タイプであっても良いし、２接点タイプでも良い。誤操作の防止のため、２接点タイプのスイッチが用いられても良いし、実装面積やコストの削減のため、１接点タイプのスイッチが用いられても良い。２接点タイプの場合、誤操作が生じる可能性が比較的低いのでＭＯＶＥスイッチＳＣが設けられなくても良い。反対に、１接点タイプの場合、誤操作が生じる可能性が比較的高いのでＭＯＶＥスイッチＳＣが設けられると良い。
【００３３】
次に、メンテナンス時における背面操作パネル１５５の操作例について説明する。図８は、フロントカバー１３が開放された架台本体１１と操作パネル１５５を操作する作業者とを模式的に示す図である。図８に示すように、作業者等は、フロントカバー１３を跳ね上げた状態において架台本体１１や寝台１００等のメンテナンスを行う。本実施形態においては、跳ね上げられたフロントカバー１３の背面に背面操作パネル１５５が設けられているので作業者等は、脚立に上ることなく背面操作パネル１５５を介して操作機器１５を操作することができる。よって、本実施形態によれば、従来例に比して安全にメンテナンスを行うことができる。また、脚立を用意する必要がないので、メンテナンスの準備に要する時間を短縮することができる。吊下げ式の従来に比して背面操作パネル１５５は、フロントカバー１３に簡易な構造で取り付けることができる。よって、本実施形態によれば、吊下げ式の操作パネルに比して蝶番等の特殊な部品を用意する必要がなくなる。また、操作パネルを吊下げる作業が不要なため、吊下げ式に比してメンテナンスの準備に要する時間を短縮することができる。
【００３４】
メンテナンス時において背面操作パネル１５５の各種スイッチは、片手で操作されることが想定される。そのため、片手でＭＯＶＥスイッチＳＣを押下しながら操作スイッチＳＯを押下可能なように、ＭＯＶＥスイッチＳＣは、複数の操作スイッチＳＯの略中央部に設けられると良い。また、メンテナンス時において作業者は、背面操作パネル１５５を見上げるような姿勢で背面操作パネル１５５を操作する。この姿勢の作業者の操作感覚に合致するように各種の操作スイッチＳＯが背面操作パネル１５５に配置されると良い。例えば、フロントカバー１３の底部側に天板ＵＰスイッチＳＯ３が配置されるように各種の操作スイッチＳＯが配置されても良い。すなわち、フロントカバー１３に対する前面操作パネル１５１の操作スイッチの配置上の上下左右の方向又は表面表示装置１５７の表示上の上下左右の方向と、背面操作パネル１５５の操作スイッチの配置上の上下左右の方向がそれぞれ異なる方向であっても良い。
【００３５】
背面操作パネル１５５が有効且つ前面操作パネル１５１が無効に設定されている場合においてフロントカバー１３が閉じられた場合、作業者が操作機器１５を操作することができなくなる。この不具合を防止するため、背面操作パネル１５５が有効且つ前面操作パネル１５１が無効に設定されているときにおいてフロントカバー１３が閉じられた場合、警告を発生する発生手段が操作制御基板１５３等に実装されると良い。フロントカバー１３の開閉の検知は、電気的、磁気的、又は機械的に検知する既存の如何なる検知器（以下、開閉検知器と呼ぶ）により行われても良い。開閉検知器は、フロントカバー１３が閉じられると、その旨を示す電気信号（以下、閉鎖信号と呼ぶ）を出力する。出力された閉鎖信号は、ケーブル等を介して操作制御基板１５３に供給される。操作制御基板１５３は、閉鎖信号が供給されたことを契機として前面操作パネル１５１に実装された前面表示機器１５７に警告メッセージを表示する。警告の仕方は、警告メッセージの表示のみに限定されず、前面表示機器１５７を点滅させたり、操作スイッチＳＯを点滅させたり、警告音を発生させたりしても良い。これにより、作業者等は、背面操作パネル１５５が有効且つ前面操作パネル１５１が無効に設定されている場合においてフロントカバー１３が閉じられたことを迅速に知ることができる。また、操作制御基板１５３は、閉鎖信号が供給されたことを契機として前面操作パネル１５１を有効に、且つ背面操作パネル１５５を無効に設定することができる。
【００３６】
なお、本実施形態において前面操作パネル１５１と背面操作パネル１５５は一つの操作制御基板１５３を共有し、背面操作パネル１５５は前面操作パネル１５１の裏側に設けられるとした。しかしながら、本実施形態はこれに限定されない。例えば、前面操作パネル１５１のみが実装された操作制御基板１５３と背面操作パネル１５５のみが実装された操作制御基板１５３とが設けられ、前面操作パネル１５１と背面操作パネル１５５とが個別に離間して設けられると良い。例えば、前面操作パネル１５１は寝台１００から見てフロントカバー１３の前面の左側側部に設けられ、背面操作パネル１５５は寝台１００から見てフロントカバー１３の背面の右側側部に設けられても良い。このように、前面操作パネル１５１と背面操作パネル１５５とに個別に操作制御基板１５３を設けることにより、前面操作パネル１５１と背面操作パネル１５５との設置箇所の自由度を高め、ひいては、メンテナンスの効率を向上させることができる。また、上記の実施形態において操作機器１５は１個だけ設けられるとしたが、複数個の操作機器１５が任意の箇所に設けられても良い。例えば、寝台１００から見てフロントカバー１３の前面の左側側部と右側側部との各々に操作機器１５が設けられても良い。これにより、作業者による操作機器１５の設置位置の自由度を高め、ひいては、メンテナンスの効率が向上する。また、背面操作パネル１５５は、フロントカバー１３の背面以外であっても、メンテナンスにおいて使用し易い位置、すなわち、フロントカバー１３を開いた状態において操作者が操作可能な位置に設けることができる。背面操作パネル１５５は、例えば、架台本体１１（例えば、架台固定部２３）の表面に設けられても良い。
【００３７】
上記の実施形態においてＸ線コンピュータ断層撮影装置は、いわゆる第３世代であるとした。すなわち、Ｘ線コンピュータ断層撮影装置は、Ｘ線管２７とＸ線検出器２９とが１体となって回転軸Ｚの周囲を回転する回転／回転型（ＲＯＴＡＴＥ／ＲＯＴＡＴＥ―ＴＹＰＥ）であるとした。しかしながら、本実施形態に係るＸ線コンピュータ断層撮影装置は、それのみに限定されない。例えば、Ｘ線コンピュータ断層撮影装置は、リング状に配列された多数のＸ線検出素子が固定され、Ｘ線管２７のみが回転軸Ｚの周囲を回転する固定／回転型（ＳＴＡＴＩＯＮＡＲＹ／ＲＯＴＡＴＥ―ＴＹＰＥ）でも良い。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００３９】
１…架台、３…画像再構成装置、５…コンソール、７…表示機器、９…入力機器、１１…架台本体、１３…フロントカバー、１５…操作機器、１００…寝台、１０１…天板、１０２…天板支持機構、１５１…前面操作パネル、１５３…操作制御基板、１５５…背面操作パネル
【図１】
0006580825.tif 000002
【図２】
0006580825.tif 000003
【図３】
0006580825.tif 000004
【図４】
0006580825.tif 000005
【図５】
0006580825.tif 000006
【図６】
0006580825.tif 000007
【図７】
0006580825.tif 000008
【図８】
0006580825.tif 000009